(57)【特許請求の範囲】
【請求項１】
端末装置、および情報処理サーバを備える識別装置であって、
前記端末装置は、
車両に搭載され、路面の画像を撮影する撮影部と、
前記撮影部が撮影した画像に対して、学習済みモデルを用いた識別を行うことで、前記路面の損傷の有無を識別する識別部と、
前記撮影部が撮影した全ての画像を前記端末装置から前記情報処理サーバに送信することなく、前記画像のうち、前記識別部が損傷を検出した検出画像を、前記情報処理サーバに送信する送信部と、を備え、
前記情報処理サーバは、
前記送信部から送信された複数の前記検出画像に撮影された前記路面の損傷が、同一箇所であるかどうかを判定する位置判定部と、
前記位置判定部により同一箇所と判定された前記路面の損傷に関する情報を、時系列に沿って統合して、前記路面の損傷の有無を評価する評価部と、を備える識別装置。
【請求項２】
端末装置、および情報処理サーバを備える識別装置であって、
前記端末装置は、
車両に搭載され、路面の画像を撮影する撮影部と、
前記撮影部が撮影した画像に対して、学習済みモデルを用いた識別を行うことで、前記路面の損傷の有無を識別する識別部と、
前記画像のうち、前記識別部が損傷を検出した検出画像を、前記情報処理サーバに送信する送信部と、を備え、
前記情報処理サーバは、
前記送信部から送信された複数の前記検出画像に撮影された前記路面の損傷が、同一箇所であるかどうかを判定する位置判定部と、
前記位置判定部により同一箇所と判定された前記路面の損傷の有無に関する情報を、任意の期間において時系列に沿って統合して、前記損傷が存在するかどうかを確率として示す存在確率を算出する評価部と、を備える識別装置。
【請求項３】
前記評価部は、時系列に沿って、前記路面の損傷に関する情報を統合する ことで、前記路面の損傷の存在確率を算出する、請求項１又は２に記載の識別装置。
【請求項４】
前記情報処理サーバは、
車両が走行する外部環境に関する情報を取得し、
前記評価部は、
前記外部環境に関する情報を用いて、前記存在確率への重み付けを行う、請求項２又は３に記載の識別装置。
【請求項５】
前記識別部は、
撮影した位置に関する情報を前記検出画像に関連付け、
前記路面の損傷に関する情報は、前記検出画像が撮影された位置における損傷の有無に関する情報、および前記検出画像のうちの少なくとも一方を含む、請求項１から４のいずれか１項に記載の識別装置。
【請求項６】
前記識別部は、
撮影した位置に関する情報を前記検出画像に関連付け、
前記位置判定部は、
前記検出画像、および前記検出画像が撮影された位置情報を用いて、複数の前記検出画像に撮影された前記路面の損傷が、同一箇所かどうかを判定する、請求項１から５のいずれか１項に記載の識別装置。
【請求項７】
前記情報処理サーバは、
前記車両の走行経路に関する情報を取得し、
前記位置判定部は、
前記車両の走行経路に関する情報を用いて、複数の前記検出画像に撮影された前記路面の損傷が、同一箇所かどうかを判定する、請求項１から６のいずれか１項に記載の識別装置。
【請求項８】
前記識別部は、
前記検出画像において検出された損傷が、道路領域内に位置するかどうかを判定する、請求項１から７のいずれか１項に記載の識別装置。
【請求項９】
前記情報処理サーバは、
前記送信部から送信された複数の前記検出画像に対して、学習済みモデルを用いた識別を行うことで、前記路面の損傷の有無の識別、および前記路面の損傷が、道路領域内に位置するかどうかの判定を再度行う再識別部 をさらに備えている、請求項１から８のいずれか１項に記載の識別装置。
【請求項１０】
前記再識別部は、前記識別部と異なる識別基準に従って、前記路面の損傷の有無を再度識別する、請求項９に記載の識別装置。
【請求項１１】
前記情報処理サーバは、
前記車両の走行経路に関する情報を取得し、
前記評価部は、前記路面の損傷が撮影された座標位置毎に、任意の期間における路面の損傷の有無に関する情報を統合する、請求項１から１０のいずれか１項に記載の識別装置。
【請求項１２】
プロセッサを備えた識別システムに実行させる識別プログラムであって、
プロセッサに、
車両に搭載された撮影部が、路面の画像を撮影するステップと、
前記撮影部が撮影した画像に対して、学習済みモデルを用いた識別を行うことで、前記路面の損傷の有無を識別するステップと、
前記撮影部が撮影した全ての画像を送信することなく、前記画像のうち、前記識別するステップにおいて損傷を検出した検出画像を、情報処理サーバに送信するステップと、
前記送信するステップにおいて送信された複数の前記検出画像に撮影された前記路面の損傷が、同一箇所であるかどうかを判定するステップと、
前記判定するステップにおいて同一箇所と判定された前記路面の損傷に関する情報を、時系列に沿って統合して、前記路面の損傷の有無を評価するステップと、を実行させるプログラム。
【請求項１３】
プロセッサを備えた識別装置が実行する方法であって、
プロセッサが、
車両に搭載された撮影部が、路面の画像を撮影するステップと、
前記撮影部が撮影した画像に対して、学習済みモデルを用いた識別を行うことで、前記路面の損傷の有無を識別するステップと、
前記撮影部が撮影した全ての画像を送信することなく、前記画像のうち、前記識別するステップにおいてが損傷を検出した検出画像を、情報処理サーバに送信するステップと、
前記送信するステップにおいて送信された複数の前記検出画像に撮影された前記路面の損傷が、同一箇所であるかどうかを判定するステップと、
前記判定するステップにおいて同一箇所と判定された前記路面の損傷に関する情報を、時系列に沿って統合して、前記路面の損傷の有無を評価するステップと、を実行する方法。
【請求項１４】
プロセッサを備えた識別システムに実行させる識別プログラムであって、
プロセッサに、
車両に搭載された撮影部が、路面の画像を撮影するステップと、
前記撮影部が撮影した画像に対して、学習済みモデルを用いた識別を行うことで、前記路面の損傷の有無を識別するステップと、
前記画像のうち、前記識別するステップにおいて損傷を検出した検出画像を、情報処理サーバに送信するステップと、
前記送信するステップにおいて送信された複数の前記検出画像に撮影された前記路面の損傷が、同一箇所であるかどうかを判定するステップと、
前記判定するステップにおいて同一箇所と判定された前記路面の損傷の有無に関する情報を、任意の期間において時系列に沿って統合して、前記損傷が存在するかどうかを確率として示す存在確率を算出するステップと、を実行させるプログラム。
【請求項１５】
プロセッサを備えた識別装置が実行する方法であって、
プロセッサが、
車両に搭載された撮影部が、路面の画像を撮影するステップと、
前記撮影部が撮影した画像に対して、学習済みモデルを用いた識別を行うことで、前記路面の損傷の有無を識別するステップと、
前記画像のうち、前記識別するステップにおいて損傷を検出した検出画像を、情報処理サーバに送信するステップと、
前記送信するステップにおいて送信された複数の前記検出画像に撮影された前記路面の損傷が、同一箇所であるかどうかを判定するステップと、
前記判定するステップにおいて同一箇所と判定された前記路面の損傷の有無に関する情報を、任意の期間において時系列に沿って統合して、前記損傷が存在するかどうかを確率として示す存在確率を算出するステップと、を実行する方法。
【発明の詳細な説明】
【技術分野】
【０００１】
本開示は、識別装置、識別プログラム、および識別方法に関する。
【背景技術】
【０００２】
近年、カメラで道路の状態を撮影し、路面の損傷の有無を検出するシステムが知られている。
【０００３】
例えば特許文献１には、点検車両を路面上で走行させながら路面をカメラで撮像し、撮像画像から、点検装置の影、路面上のペイントされた表示案内、および路面の汚れ等の検出対象である損傷箇所ではない部分を除去するシステムが開示されている。
【先行技術文献】
【特許文献】
【０００４】
【特許文献１】特開２００５−４３３２４号公報
【発明の概要】
【発明が解決しようとする課題】
【０００５】
路面の状態は、撮影される時間帯により、異なった様子として撮影されることがある。例えば早朝や夕方のように、日射による影ができる向きが異なると、異なる画像として撮影される。また、路面の状態は経時的に変化していくものである。このため、一時的な状態を撮影した撮影画像を用いて損傷の有無を判断すると、損傷の検出精度がばらつくことがあった。
【０００６】
本開示では、路面の損傷の有無の検出を精度よく行うことができる識別装置、識別方法、および識別プログラムを提供することを目的とする。
【課題を解決するための手段】
【０００７】
本開示の識別装置は、端末装置、および情報処理サーバを備える識別装置であって、端末装置は、車両に搭載され、路面の画像を撮影する撮影部と、撮影部が撮影した画像に対して、学習済みモデルを用いた識別を行うことで、路面の損傷の有無を識別する識別部と、画像のうち、識別部が損傷を検出した検出画像を、情報処理サーバに送信する送信部と、を備え、情報処理サーバは、送信部から送信された複数の検出画像に撮影された路面の損傷が、同一箇所であるかどうかを判定する位置判定部と、損傷判定部により同一箇所と判定された路面の損傷に関する情報を、時系列に沿って統合して、路面の損傷の有無を評価する評価部と、を備える。
【発明の効果】
【０００８】
本開示の識別装置、識別プログラム、および識別方法によれば、撮影を行う端末装置からのデータの通信量を大きく抑えながら、路面の損傷の有無の検出を精度よく行うことができる。
【図面の簡単な説明】
【０００９】
【図１】本実施形態に係る識別装置の構成例を表すブロック図である。
【図２】図１に示される携帯端末の機能構成の例を示すブロック図である。
【図３】端末装置を車両に搭載した状態を説明する図である。
【図４】情報処理サーバに表示される第１画面の例を示す図である。
【図５】図１に示されるサーバの機能構成の例を示すブロック図である。
【図６】情報処理サーバに表示される第２画面の例を示す図である。
【図７】識別装置により識別される損傷の種類の第１例を示す図である。
【図８】識別装置により識別される損傷の種類の第２例を示す図である。
【図９】識別装置により実行される処理のフローを説明する図である。
【図１０】評価データの一例を示す図である。
【発明を実施するための形態】
【００１０】
以下、図面を参照しながら、実施の形態について説明する。なお、以下に説明する本実施形態は、特許請求の範囲に記載された本開示の内容を不当に限定するものではない。また本実施形態で説明される構成の全てが、本開示の必須構成要件であるとは限らない。
【００１１】
（実施形態）
＜概要＞
本開示の識別装置１の実施形態の概要について説明する。
本実施形態に係る識別装置１は、車両が走行する道路における路面の損傷を識別して、損傷の有無を検出する装置である。
【００１２】
＜１．システム構成＞
まず、図１を用いて本実施形態に係る識別装置１の構成について説明する。図１は、本実施形態に係る識別装置１の構成例を表すブロック図である。図１に示される識別装置１は、端末装置１０と、情報処理サーバ２０と、を備えている。
端末装置１０と情報処理サーバ２０とは、ネットワーク３０を介して相互に通信可能に接続されている。ネットワーク３０は、有線又は無線ネットワークにより構成される。
【００１３】
端末装置１０及び情報処理サーバ２０は、無線基地局３１、又は無線ＬＡＮ規格３２を用いて、ネットワーク３０と接続する。なお、端末装置１０及び情報処理サーバ２０は、有線通信により、ネットワーク３０と接続されてもよい。
ここで、識別装置１を構成する各装置（例えば、端末装置１０と情報処理サーバ２０）の集合体を、１つの「情報処理装置」として把握することができる。すなわち、複数の装置の集合体として識別装置１を実現し、識別装置１を実現するための複数の機能の配分を、各装置のハードウェアの処理能力に基づき適宜決定することとしてもよい。
【００１４】
＜２．端末装置１０の構成＞
端末装置１０は、車両に搭載される端末である。端末装置１０は、例えば、スマートフォン、タブレット端末、又はラップトップパソコン等の汎用の携帯端末である。端末装置１０として、複数のスマートフォン、タブレット端末、及びラップトップパソコン等を使用してもよい。このような携帯端末は、運転中の車両の走行経路の確認を目的として車両に搭載される端末であってもよい。
また、端末装置１０は、事故発生時の状況記録を目的として車両に搭載される汎用のドライブレコーダに、後述する端末装置１０としての各機能を搭載した機器を用いてもよい。
すなわち、本発明において路面の状態を撮影する端末装置１０は、路面の撮影のためにのみ用いられる専用の装置に限られず、他の目的で搭載される端末装置１０が有する撮影機能を利用して、付帯的に路面を撮影する兼用の装置であってもよい。
【００１５】
端末装置１０は、プロセッサ１１と、メモリ１２と、ストレージ１３と、通信ＩＦ１４と、入出力ＩＦ１５とを含んで構成される。
プロセッサ１１は、プログラムに記述された命令セットを実行するためのハードウェアであり、演算装置、レジスタ、周辺回路などにより構成される。
【００１６】
メモリ１２は、プログラム、及び、プログラム等で処理されるデータ等を一時的に記憶するためのものであり、例えばＤＲＡＭ（Dynamic Random Access Memory）等の揮発性のメモリである。
【００１７】
ストレージ１３は、データを保存するための記憶装置であり、例えばフラッシュメモリ、ＨＤＤ（Hard Disc Drive）、ＳＳＤ（Solid State Drive）である。
【００１８】
通信ＩＦ１４は、識別装置１が外部の装置と通信するため、信号を入出力するためのインタフェースである。
【００１９】
入出力ＩＦ１５は、ユーザからの入力操作を受け付けるための入力装置（例えば、マウス等のポインティングデバイス、キーボード）、及び、ユーザに対し情報を提示するための出力装置（ディスプレイ、スピーカ等）とのインタフェースとして機能する。
【００２０】
情報処理サーバ２０は、プロセッサ２１と、メモリ２２と、ストレージ２３と、通信ＩＦ２４と、入出力ＩＦ２５とを含んで構成される。プロセッサ２１と、メモリ２２と、ストレージ２３と、通信ＩＦ２４と、入出力ＩＦ２５とは、それぞれ、プロセッサ１１と、メモリ１２と、ストレージ１３と、通信ＩＦ１４と、入出力ＩＦ１５と同様であるため、説明を省略する。
【００２１】
情報処理サーバ２０は、コンピュータ、及びメインフレーム等により実現される。なお、情報処理サーバ２０は、１台のコンピュータにより実現されてもよいし、複数台のコンピュータが組み合わされて実現されてもよい。
【００２２】
＜１．端末装置１０の構成＞
図２は、端末装置１０の機能的な構成を示すブロック図である。図２に示すように、端末装置１０は、複数のアンテナ（アンテナ１１１、アンテナ１１２）と、各アンテナに対応する無線通信部（第１無線通信部１２１、第２無線通信部１２２）と、操作受付部１３０と、音声処理部１４０（マイク１４１及びスピーカ１４２を含む）と、撮影部１５０と、記憶部１６０と、制御部１７０と、ＧＰＳアンテナ１８０と、を備えている。なお、端末装置１０は、操作受付部１３０として、キーボードを備えていてもよい。
【００２３】
端末装置１０は、図２では特に図示していない機能及び構成（例えば、電力を保持するためのバッテリー、バッテリーから各回路への電力の供給を制御する電力供給回路など）も有している。図２に示すように、端末装置１０に含まれる各ブロックは、バス等により電気的に接続される。
【００２４】
アンテナ１１１は、端末装置１０が発する信号を電波として放射する。また、アンテナ１１１は、空間から電波を受信して受信信号を第１無線通信部１２１へ与える。
【００２５】
アンテナ１１２は、端末装置１０が発する信号を電波として放射する。また、アンテナ１１２は、空間から電波を受信して受信信号を第２無線通信部１２２へ与える。
【００２６】
第１無線通信部１２１は、端末装置１０が他の無線機器と通信するため、アンテナ１１１を介して信号を送受信するための変復調処理などを行う。第２無線通信部１２２は、端末装置１０が他の無線機器と通信するため、アンテナ１１２を介して信号を送受信するための変復調処理などを行う。第１無線通信部１２１と第２無線通信部１２２とは、チューナー、ＲＳＳＩ（Received Signal Strength Indicator）算出回路、ＣＲＣ（Cyclic Redundancy Check）算出回路、高周波回路などを含む通信モジュールである。第１無線通信部１２１と第２無線通信部１２２とは、端末装置１０が送受信する無線信号の変復調や周波数変換を行い、受信信号を制御部１７０へ与える。
【００２７】
操作受付部１３０は、ユーザの入力操作を受け付けるための機構を有する。具体的には、操作受付部１３０は、ディスプレイ１３１を含む。なお、操作受付部１３０は静電容量方式のタッチパネルを用いることによって、タッチパネルに対するユーザの接触位置を検出する、タッチスクリーンとして構成されている。
【００２８】
ディスプレイ１３２は、制御部１７０の制御に応じて、画像、動画、テキストなどのデータを表示する。ディスプレイ１３２は、例えばＬＣＤ（Liquid Crystal Display）や有機ＥＬ（Electro-Luminescence）ディスプレイによって実現される。
【００２９】
音声処理部１４０は、音声信号の変復調を行う。音声処理部１４０は、マイク１４１から与えられる信号を変調して、変調後の信号を制御部１７０へ与える。また、音声処理部１４０は、音声信号をスピーカ１４２へ与える。音声処理部１４０は、例えば音声処理用のプロセッサによって実現される。
マイク１４１は、音声入力を受け付けて、当該音声入力に対応する音声信号を音声処理部１４０へ与える。スピーカ１４２は、音声処理部１４０から与えられる音声信号を音声に変換して当該音声を端末装置１０の外部へ出力する。
【００３０】
撮影部１５０は、車両に搭載され、路面の画像を撮影する装置である。具体的には、撮影部１５０は、受光素子により光を受光して、撮影画像１６１として出力するカメラである。
撮影部１５０は、例えば、撮影部１５０から撮影対象までの距離を検出できる深度カメラである。撮影部１５０は、静止画のみならず、動画を撮影することができる。撮影部１５０により動画を撮影する場合には、動画を構成する１フレーム毎の画像が撮影画像１６１として扱われる。図３は端末装置１０を車両に搭載した状態を説明する図である。
【００３１】
図３Ａは、車両に搭載した端末装置１０の外観を示す図である。図３Ｂは、車両に搭載した端末装置１０に表示される撮影画像１６１の例を示す図である。
図３Ａに示すように、端末装置１０は、撮影部１５０が車両の前方を向く姿勢で車両に搭載される。撮影部１５０は、車両の前方の路面の状態を所定の時間ごとに断続的に撮影する。
【００３２】
図３Ｂに示すように、撮影画像１６１には、路面の損傷を囲むバウンディングボックスＢを出力する。このように、損傷を囲むバウンディングボックスＢを出力することで、路面の損傷の有無のみならず、損傷の位置が識別され、損傷の状態についてより詳細な情報が得られる。また、バウンディングボックスＢによって損傷の位置が強調され、識別結果の確認が容易となる。
【００３３】
ＧＰＳ（Global Positioning System）アンテナ１８０は、車両の位置を検出し、車両が走行した経路に関する情報を取得する。ＧＰＳアンテナ１８０は、取得した車両の位置、および走行経路に関する情報を制御部１７０の送受信部１７２に送信する。送受信部１７２は、受信した車両の位置、および走行経路に関する情報を、情報処理サーバ２０に送信する。
【００３４】
図４は、本実施形態に係る情報処理サーバ２０に表示される第１画面ＤＰ１の例を示す図である。第１画面ＤＰ１は、識別部１７３が損傷を検出した検出画像を受信した場合に表示されてよい。ここで、識別装置１は、ＧＰＳアンテナ１８０から取得した車両の走行経路に関する情報を、画像が撮影された位置に関する情報として、情報処理サーバ２０に送信する。
【００３５】
本例では、地図ＤＰ１１上に符号Ｒで示す走行経路が示されるとともに、符号Ｄで示すマーカーによって、路面の損傷が検出された検出画像２０２１（図５参照）が撮影された位置が示されている。これにより、どこでどのような損傷が生じているのかが明らかとなり、損傷が生じている場所に応じて適切な管理者へ通知することができる。
第１画面ＤＰ１は、画像が撮影された位置を示す地図ＤＰ１１、画像が撮影された路面の情報ＤＰ１２ 、画像を一意に特定するためのデータＩＤ ＤＰ１３及び画像が撮影された日時を示すタイムスタンプＤＰ１４等を含む。
【００３６】
図示の例では、画像が撮影された路面の情報ＤＰ１２は、交通量（Traffic Volume 、車線数（ Number of Lane）、幅員（ Road Width）、法定の最高速度（ Max Speed）およびタイプ（ Road Type）を含むが、これら以外の情報が含まれてもよいし、これらのうちいずれかが含まれなくてもよい。
このように、データＩＤ ＤＰ１３、およびタイムスタンプＤＰ１４が表示されていることにより、撮影画像１６１のデータを一意に特定した上で、いつどのような損傷が生じているのかを明らかにすることができ、修復を行うタイミング等の判断材料を提供することができる。
【００３７】
図２に示す記憶部１６０は、例えばフラッシュメモリ等により構成され、端末装置１０が使用するデータ及びプログラムを記憶する。ある局面において、記憶部１６０は、撮影画像１６１、第１学習済みモデル１６２、および第２学習済みモデル１６３を記憶している。撮影画像１６１は、撮影部１５０により撮影された画像である。
【００３８】
制御部１７０は、記憶部１６０に記憶されるプログラムを読み込んで、プログラムに含まれる命令を実行することにより、端末装置１０の動作を制御する。制御部１７０は、例えば予め端末装置１０にインストールされているアプリケーションである。制御部１７０は、プログラムに従って動作することにより、入力操作受付部１７１と、送受信部１７２と、識別部１７３と、表示処理部１７４としての機能を発揮する。
【００３９】
入力操作受付部１７１は、入力装置に対するユーザの入力操作を受け付ける処理を行う。
【００４０】
送受信部１７２は、端末装置１０が、情報処理サーバ２０等の外部の装置と、通信プロトコルに従ってデータを送受信するための処理を行う。送受信部１７２は、撮影部１５０が撮影した撮影画像１６１のうち、識別部１７３が損傷を検出した画像である検出画像２０２１を、情報処理サーバ２０に送信する処理を実行する。
【００４１】
識別部１７３は、端末装置１０の撮影部１５０が路面を撮影した撮影画像１６１に対して、路面の損傷の有無の識別を行う。
本実施形態では、撮影部１５０は、所定の時間間隔で画像を撮影し、識別部１７３は、所定の時間間隔以内に、路面の損傷を識別する。ここで、所定の時間間隔は、例えば１．２秒である。１．２秒間隔で画像を撮影する場合、車両を４０ｋｍ／ｈ（約１１．１ｍ／ｓ）で走行させれば、約１３ｍ毎に路面が撮影されることとなり、路面を途切れることなく撮影することができる。
このように、識別部１７３によって、撮影部１５０の撮影間隔以内に路面の損傷が認識されるため、所定の時間間隔を車両の速度に応じて適切に選択することで、路面を途切れることなく撮影して損傷を識別することができる。
【００４２】
識別部１７３は、第１学習済みモデル１６２を用いて、路面の損傷の有無を識別する。
第１学習済みモデル１６２は、例えば、予め記憶部１６０に記憶されている。第１学習済みモデル１６２は、撮影部１５０が撮影する撮影画像１６１に基づき、随時、生成および更新されることとしてもよい。
第１学習済みモデル１６２は、画像中に路面の損傷箇所があるかどうかの識別を行うモデルである。
【００４３】
第１学習済みモデル１６２は、学習用データに基づき、モデル学習プログラムに従って機械学習モデルに機械学習を行わせることにより得られる。例えば、本実施形態において、第１学習済みモデル１６２は、入力される画像情報に対し、損傷の箇所および損傷の種類を出力するように学習されている。
このとき、学習用データは、例えば、過去に路面の状態が撮影された路面の画像情報を入力データとし、入力された画像情報に対して損傷箇所に関する情報と、損傷の種類に関する情報と、を正解出力データとする。
【００４４】
具体的には、第１学習済みモデル１６２は、様々な種類の損傷を有する路面の画像の特徴量（基準特徴量）と、評価対象である撮影画像１６１の特徴量と、を比較して類似度を評価することで、いずれかの種類の損傷があるかどうかを判定する。類似度の評価に際しては、評価対象である撮影画像１６１の特徴量が、基準特徴量に対して、予め設定された閾値の範囲内である場合に、当該損傷があると判断される。なお、様々な種類の損傷について、基準特徴量がそれぞれ設定されている。損傷の種類については後述する。
【００４５】
本実施形態に係る第１学習済みモデル１６２は、例えば、複数の関数が合成されたパラメータ付き合成関数である。パラメータ付き合成関数は、複数の調整可能な関数、及びパラメータの組合せにより定義される。本実施形態に係る第１学習済みモデル１６２は、上記の要請を満たす如何なるパラメータ付き合成関数であってもよいが、多層のニューラルネットワークモデル（以下「多層化ネットワーク」という。）であるとする。多層化ネットワークを用いる第１学習済みモデル１６２は、入力層と、出力層と、入力層と出力層との間に設けられる少なくとも１層の中間層あるいは隠れ層とを有する。第１学習済みモデル１６２は、人工知能ソフトウェアの一部であるプログラムモジュールとしての使用が想定される。
【００４６】
本実施形態に係る多層化ネットワークとしては、例えば、深層学習（Deep Learning）の対象となる多層ニューラルネットワークである深層ニューラルネットワーク（Deep Neural Network：ＤＮＮ）が用いられ得る。ＤＮＮとしては、例えば、画像を対象とする畳み込みニューラルネットワーク（Convolution Neural Network：ＣＮＮ）を用いてもよい。
【００４７】
また識別部１７３は、第２学習済みモデル１６３を用いて、検出画像２０２１において検出された損傷が、道路領域内に位置するかどうかを判定する。
【００４８】
第２学習済みモデル１６３は、例えば、予め記憶部１６０に記憶されている。第２学習済みモデル１６３は、撮影部１５０が撮影する撮影画像１６１に基づき、随時、生成および更新されることとしてもよい。
第２学習済みモデル１６３は、画像中に検出された損傷箇所が、道路領域内にあるかどうかの識別を行うモデルである。
【００４９】
第２学習済みモデル１６３は、学習用データに基づき、モデル学習プログラムに従って機械学習モデルに機械学習を行わせることにより得られる。例えば、本実施形態において、第２学習済みモデル１６３は、入力される画像情報に対し、損傷の箇所が道路領域内にあるかどうかを出力するように学習されている。
このとき、学習用データは、例えば、過去に損傷のある路面の状態が撮影された路面の画像情報を入力データとし、入力された画像情報に対して損傷箇所が道路領域内に位置するかどうかに関する情報を正解出力データとする。
【００５０】
具体的には、第２学習済みモデル１６３は、道路領域内に損傷がある路面の画像の特徴量（基準特徴量）と、評価対象である検出画像２０２１の特徴量と、を比較して類似度を評価することで、いずれかの種類の損傷があるかどうかを判定する。類似度の評価に際しては、評価対象である検出画像２０２１の特徴量が、基準特徴量に対して、予め設定された閾値の範囲内である場合に、当該損傷が道路領域内にあると判断される。
【００５１】
本実施形態に係る第２学習済みモデル１６３は、例えば、複数の関数が合成されたパラメータ付き合成関数である。パラメータ付き合成関数は、複数の調整可能な関数、及びパラメータの組合せにより定義される。本実施形態に係る第２学習済みモデル１６３は、上記の要請を満たす如何なるパラメータ付き合成関数であってもよいが、多層化ネットワークであるとする。多層化ネットワークを用いる第２学習済みモデル１６３は、入力層と、出力層と、入力層と出力層との間に設けられる少なくとも１層の中間層あるいは隠れ層とを有する。第２学習済みモデル１６３は、人工知能ソフトウェアの一部であるプログラムモジュールとしての使用が想定される。
【００５２】
識別部１７３は、撮影した位置および走行経路に関する情報を撮影した撮影画像１６１に関連付ける。識別部１７３は、撮影画像１６１を撮影した時刻、車両の位置、および車両の進行方向に関する情報を撮影画像１６１に関連付ける。
【００５３】
表示処理部１７４は、ユーザに対し情報を提示する処理を行う。表示処理部１７４は、表示画像をディスプレイ１３２に表示させる処理、音声をスピーカ１４２に出力させる処理等を行う。
【００５４】
＜２．情報処理サーバ２０の機能的な構成＞
図５は、情報処理サーバ２０の機能的な構成を示す図である。図３に示すように、情報処理サーバ２０は、通信部２０１と、記憶部２０２と、制御部２０３としての機能を発揮する。
【００５５】
通信部２０１は、情報処理サーバ２０が外部の装置と通信するための処理を行う。
【００５６】
記憶部２０２は、情報処理サーバ２０が使用するデータ及びプログラムを記憶する。記憶部２０２は、検出画像２０２１と、第３学習済みモデル２０２２と、第４学習済みモデル２０２３と、評価データ２０２４と、を記憶する。
【００５７】
検出画像２０２１は、端末装置１０から送信された画像情報である。すなわち、検出画像２０２１は、端末装置１０の識別部１７３が、路面の損傷を検出した撮影画像１６１である。
第３学習済みモデル２０２２および評価データ２０２４については後述する。
【００５８】
制御部２０３は、情報処理サーバ２０のプロセッサ２１がプログラムに従って処理を行うことにより、送受信部２０３１、再識別部２０３２、位置判定部２０３３、および評価部２０３４としての機能を発揮する。
【００５９】
送受信部２０３１は、情報処理サーバ２０が外部の装置に対し通信プロトコルに従って信号を送信する処理、および情報処理サーバ２０が外部の装置から通信プロトコルに従って信号を受信する処理を制御する。
【００６０】
送受信部２０３１は、車両が走行する外部環境に関する情報を取得する。外部環境に関する情報には、天気に関する情報、時刻に関する状況、明るさに関する情報が含まれる。
【００６１】
再識別部２０３２は、端末装置１０から送信された複数の検出画像２０２１に対して、第３学習済みモデル２０２２を用いた識別を行うことで、路面の損傷の有無の識別を再度行う。
【００６２】
第３学習済みモデル２０２２は、例えば、予め記憶部２０２に記憶されている。第３学習済みモデル２０２２は、撮影部１５０が撮影する撮影画像１６１に基づき、随時、生成および更新されることとしてもよい。
第３学習済みモデル２０２２は、画像中に路面の損傷箇所があるかどうかの識別を行うモデルであり、識別における判断基準以外は、第１学習済みモデル１６２と同様の構成を備えている。
【００６３】
情報処理サーバ２０の再識別部２０３２が用いる第３学習済みモデル２０２２による識別の基準は、端末装置１０の識別部１７３が用いる第１学習済みモデル１６２による識別の基準とは異なっている。例えば、第１学習済みモデル１６２による識別の方が、第３学習済みモデル２０２２により識別よりも緩い判断基準となっている。
【００６４】
具体的には、第３学習済みモデル２０２２において設定されている基準特徴量に対する閾値は、第１学習済みモデル１６２において設定されている基準特徴量に対する閾値よりも許容される数値幅が狭くなっている。すなわち、第３学習済みモデル２０２２では、第１学習済みモデル１６２よりも特徴量の類似度が高い場合において、当該撮影画像１６１に損傷があると判断される。
【００６５】
また、再識別部２０３２は、路面の損傷が、道路領域内に位置するかどうかの判定を再度行う。再識別部２０３２は、第４学習済みモデル２０２３を用いて、検出画像２０２１において検出された損傷が、道路領域内に位置するかどうかを判定する。
【００６６】
第４学習済みモデル２０２３は、例えば、予め記憶部２０２に記憶されている。第４学習済みモデル２０２３は、撮影部１５０が撮影する撮影画像１６１に基づき、随時、生成および更新されることとしてもよい。
第４学習済みモデル２０２３は、画像中に検出された損傷箇所が道路領域内にあるかどうかの識別を行うモデルであり、識別における判断基準以外は、第２学習済みモデル１６３と同様の構成を備えている。
【００６７】
情報処理サーバ２０の再識別部２０３２が用いる第４学習済みモデル２０２３による識別の基準は、端末装置１０の識別部１７３が用いる第２学習済みモデル１６３による識別の基準とは異なっている。例えば、第２学習済みモデル１６３による識別の方が、第４学習済みモデル２０２３により識別よりも緩い判断基準となっている。
【００６８】
具体的には、第４学習済みモデル２０２３において設定されている基準特徴量に対する閾値は、第２学習済みモデル１６３において設定されている基準特徴量に対する閾値よりも許容される数値幅が狭くなっている。すなわち、第４学習済みモデル２０２３では、第２学習済みモデル１６３よりも特徴量の類似度が高い場合において、検出された路面の損傷が、道路領域内にあると判定する。
【００６９】
位置判定部２０３３は、端末装置１０の送受信部１７２から送信された複数の検出画像２０２１に撮影された路面の損傷が、同一箇所であるかどうかを判定する。具体的には、位置判定部２０３３は、検出画像２０２１、および検出画像２０２１が撮影された位置情報を用いて、複数の検出画像２０２１に撮影された前記路面の損傷が、同一箇所かどうかを判定する。
また、位置判定部２０３３は、車両の走行経路に関する情報を用いて、複数の検出画像２０２１に撮影された路面の損傷が、同一箇所かどうかを判定してもよい。
【００７０】
評価部２０３４は、位置判定部２０３３により同一箇所と判定された路面の損傷に関する情報を、時系列に沿って統合して、路面の損傷の有無を評価する。具体的には、評価部２０３４は、時系列に沿って路面の損傷に関する情報を統合することで、路面の損傷の存在確率を算出する。
ここで、路面の損傷に関する情報とは、検出画像２０２１が撮影された位置における損傷の有無に関する情報、および検出画像２０２１のうちの少なくとも一方を含む。
【００７１】
評価部２０３４は、外部環境に関する情報を用いて、存在確率への重み付けを行ってもよい。例えば、視界の悪い雨天時の検出結果よりも、視界が良い晴天時の検出結果に対して高い重みづけを行ってもよい。また、外が暗い夕方よりも、外が明るい昼間の検出結果に高い重みづけを行ってもよい。
評価部２０３４は、座標の損傷が撮影された座標位置毎に、任意の期間における路面の損傷の有無に関する情報を統合する。
【００７２】
図６は、本実施形態に係る情報処理サーバ２０に表示される第２画面ＤＰ２の例を示す図である。
第２画面ＤＰ２は、情報処理サーバ２０の再識別部２０３２が損傷を検出した検出画像２０２１および識別結果を受信した場合に表示されてよく、第１画面ＤＰ１と並べて表示されてもよい。情報処理サーバ２０は、第２画面ＤＰ２を表示して、識別結果が正しいか管理者に確認させ、誤っている場合には管理者から識別結果の訂正を受け付けてよい。
【００７３】
第２画面ＤＰ２には、撮影部１５０により撮影された検出画像２０２１、チェック済みフェーズＤＰ２２、タイムスタンプＤＰ２３、対応状況ＤＰ２４、損傷種類ＤＰ２５が含まれている。第２画面ＤＰ２には、識別部１７３により識別された損傷を囲むバウンディングボックスＢが表示されている。
【００７４】
チェック済みフェーズＤＰ２２には、損傷のチェック作業の進捗状況が表示されている。図示の例において、符号ＤＰ２２１に示す携帯端末のアイコンは、端末装置１０での損傷の識別が完了していることを示す。符号ＤＰ２２２に示すディスプレイのアイコンは、情報処理サーバ２０での損傷の識別が完了していることを示す。符号ＤＰ２２３に示す眼のアイコンは、その後に行われるクラウドソーシングによるチェック処理が完了していることを示す。
【００７５】
第２画面ＤＰ２におけるタイムスタンプＤＰ２３には、検出画像２０２１を撮影した際に付与された日時に関する情報が示されている。すなわち、検出画像２０２１を撮影した日時および時刻を示す情報である。
第２画面ＤＰ２における対応状況ＤＰ２４は、当該損傷に対して行われる対応に関する情報が記載されている。対応に関する情報としては、例えば、経過観察、管理者への報告予定、管理者への報告済み、修繕予定、等が挙げられる。
【００７６】
第２画面ＤＰ２における損傷種類ＤＰ２５には、損傷の種類が記載されている。ここで、損傷の種類について、図７よび図８を用いて説明する。
図７は、識別装置１により識別される損傷の種類の第１例を示す図である。図８は、識別装置１により識別される損傷の種類の第２例を示す図である。
【００７７】
図７Ａに示すＤ００で識別される損傷の種類は、縦方向（進行方向）に沿って延びる線状のひび割れであり、車輪走行部に発生する損傷を指す。
図７Ｂに示すＤ０１で識別される損傷の種類は、縦方向に沿って延びる線状のひび割れであり、施工ジョイント部に発生する損傷を指す。施工ジョイント部とは、アスファルト舗装のつなぎ目を意味する。
【００７８】
図７Ｃに示すＤ１０で識別される損傷の種類は、横方向（道路の幅方向）に沿って延びる線状のひび割れであり、車輪走行部に発生する損傷を指す。
図７Ｄに示すＤ１１で識別される損傷の種類は、横方向に沿って延びる線状のひび割れであり、施工ジョイント部に発生する損傷を指す。
【００７９】
図８Ａに示すＤ２０で識別される損傷の種類は、亀甲状のひび割れを指す。
図８Ｂに示すＤ４０で識別される損傷の種類は、段差、ポットホール、および剥離を指す。
図８Ｃで示すＤ４３で識別される損傷の種類は、横断歩道のかすれを指す。
図８Ｄで示すＤ４４で識別される損傷の種類は、白線のかすれを指す。
【００８０】
なお、上記の損傷の種類はあくまで例示であり、その他の損傷の種類を含んでもよい。このように、路面の損傷の有無のみならず、損傷の種類が識別され、損傷の状態について詳細な情報を得ることができる。
【００８１】
＜３．識別装置１の制御処理＞
次に、識別装置１の制御処理について説明する。図９は、識別装置１により実行される処理のフローを説明する図である。
図９に示すように、まず、撮影部１５０が所定の時間間隔で画像を撮影する（ステップＳ１１０）。撮影部１５０は、撮影した撮影画像１６１を記憶部１６０に記憶させる。
ステップＳ１１０の後に、識別部１７３は、撮影画像１６１に撮影された路面における損傷の有無を識別する（ステップＳ１１１）。具体的には、識別部１７３は、第１学習済みモデル１６２に撮影画像１６１を入力することで、損傷の有無に関する出力を得る。
【００８２】
ステップＳ１１１において、損傷が確認されない場合（ステップＳ１１２のＮｏ）には、識別装置１による当該撮影画像１６１に対する識別処理を終了し、次のフレームに対応する撮影画像１６１の識別を行う。
【００８３】
ステップＳ１１１において、損傷が確認された場合（ステップＳ１１２のＹｅｓ）には、識別部１７３が、損傷が道路領域内かどうかを判定する（ステップＳ１１３）。具体的には、識別部１７３は、撮影画像１６１を第２学習済みモデル１６３に入力することで、損傷が道路領域内かどうかの出力を得る。
【００８４】
ステップＳ１１３において、損傷が道路領域内ではないと出力された場合（ステップＳ１１４のＮｏ）、具体的には損傷が歩道や周囲の建物等に位置する場合には、識別装置１による当該撮影画像１６１に対する識別処理を終了し、次のフレームに対応する撮影画像１６１の識別を行う。
【００８５】
ステップＳ１１３において、損傷が道路領域内であると出力された場合（ステップＳ１１４のＹｅｓ）には、識別部１７３は、撮影位置に関する情報を関連付ける（ステップＳ１１５）。
ステップＳ１１５の後に、端末装置１０の送受信部１７２が、検出画像２０２１を情報処理サーバ２０に送信する（ステップＳ１１６）。これにより、情報処理サーバ２０の送受信部２０３１が、検出画像２０２１を受信し、記憶部２０２に記憶させる。
【００８６】
ステップＳ１１６の後に、情報処理サーバ２０の再識別部２０３２が、検出画像２０２１に対して損傷の有無を再度識別する（ステップＳ１１７）。具体的には、再識別部２０３２は、第３学習済みモデル２０２２に撮影画像１６１を入力することで、損傷の有無に関する出力を得る。
【００８７】
ステップＳ１１７において、損傷が確認されない場合（ステップＳ１１８のＮｏ）には、識別装置１による当該撮影画像１６１に対する識別処理を終了し、次のフレームに対応する撮影画像１６１の識別を行う。
【００８８】
ステップＳ１１７において、損傷が確認された場合（ステップＳ１１８のＹｅｓ）には、再識別部２０３２が、損傷が道路領域内かどうかを判定する（ステップＳ１１９）。
具体的には、再識別部２０３２は、撮影画像１６１を第４学習済みモデル２０２３に入力することで、損傷が道路領域内かどうかの出力を得る。
【００８９】
ステップＳ１１９において、損傷が道路領域内ではないと出力された場合（ステップＳ１２０のＮｏ）、具体的には損傷が歩道や周囲の建物等に位置する場合には、識別装置１による当該撮影画像１６１に対する識別処理を終了し、次のフレームに対応する撮影画像１６１の識別を行う。
【００９０】
ステップＳ１１９において、損傷が道路領域内であると出力された場合（ステップＳ１２０のＹｅｓ）には、クラウドソーシングによる目視チェックを実行する（ステップＳ１２１）。具体的には、不特定多数のチェッカーに対して検出画像２０２１を送信し、チェックを受ける。この結果において、損傷であるという回答数が一定の数を超えた場合に、損傷があるものとして扱う。
【００９１】
ステップＳ１２１の後に、位置判定部２０３３は、検出画像２０２１の位置を判定する。すなわち、損傷が確認された検出画像２０２１について、同一箇所であるかどうかの判定を行う。具体的には、情報処理サーバ２０の記憶部２０２には、撮影した日時の異なる多数の検出画像２０２１が記憶されている。位置判定部２０３３は、これらの多数の検出画像２０２１に対して、緯度、経度等の座標を用いて、同一箇所として識別する。
【００９２】
ステップＳ１２２の後に、評価部２０３４は、損傷の確率分布を算出する（ステップＳ１２３）。具体的には、路面の損傷が撮影された座標位置毎に、任意の期間における路面の損傷の有無に関する情報を統合する。この時の評価結果を図１０で説明する。図１０は、評価データ２０２４の一例を示す図である。
【００９３】
図１０に示すように、評価部２０３４は、車両の走行経路における出発点（start）から目的地（Goal）までの座標位置毎に、時系列に沿って、路面の損傷に関する情報を統合する。具体的には、評価部２０３４は、時間を変数とする確率を算出する。図１０に示す評価データ２０２４の例では、クラウドソーシングによる目視チェックにおいて損傷があると判断された検出画像２０２１の評価指標を１とし、クラウドソーシングによる目視チェックまでのいずれかの工程で損傷がないと判断された検出画像２０２１の評価指標を０として集計している。そして、存在確率は、全標本数に対して１と検出された確率を算出する。
【００９４】
評価部２０３４は、最終的な判断として、存在確率の閾値を設定する。例えば閾値を８０％と設定した場合には、存在確率が８０％以上の座標に対して、損傷があると判断する。この際、評価部２０３４は、撮影された地点における外部環境（天候、時刻、明るさ）により、重みづけを行ってもよい。例えば、悪天候時には傷の誤認が想定される。このため、１２月１日の座標（ｘ１、ｙ１）が悪天候であった場合には、評価指標に×０．９とする。同様に、夕方や暗い環境で撮影された検出画像２０２１の評価指標に予め設定された重み係数を乗じてもよい。このような重み係数の値は、外部環境の条件の影響度に応じて任意に設定することができる。
【００９５】
以上説明したように、本実施形態に係る識別装置１によれば、端末装置１０の撮影部１５０が撮影した撮影画像１６１に対して、端末装置１０の識別部１７３が損傷の有無を識別する。そして、撮影画像１６１のうち、端末装置１０において損傷が検出された検出画像２０２１のみを情報処理サーバ２０に送信する。
このため、撮影された膨大な量の撮影画像１６１のうち、全ての撮影画像１６１を端末装置１０から情報処理サーバ２０に送信する必要がなく、一部の撮影画像１６１に相当する、損傷が検出された検出画像２０２１のみを、端末装置１０から情報処理サーバ２０に送信すれば足りる。これにより、撮影を行う端末装置１０からのデータの通信量を大きく抑えることができる。
【００９６】
また、情報処理サーバ２０の位置判定部２０３３が、撮影された損傷の位置が同一箇所であるかどうかを判定し、評価部２０３４が、路面の損傷に関する情報を、時系列に沿って統合して、路面の損傷の有無を評価する。
このため、一枚の撮影画像１６１による判定ではなく、多数の撮影画像１６１から総合的に損傷の有無を判断することができ、路面の損傷の有無の検出を精度よく行うことができる。
【００９７】
また、評価部２０３４が、時系列に沿って、路面の損傷が撮影された座標位置毎に、任意の期間における路面の損傷に関する情報を統合することで、路面の損傷の存在確率を算出する。これにより、損傷の識別における誤判定を吸収しながら、統計的に損傷の有無を判断することができる。
【００９８】
また、評価部２０３４が、外部環境に関する情報を用いて、存在確率への重み付けを行うので、撮影時の条件の違いを考慮して、精度の高い識別を行うことができる。
【００９９】
また、位置判定部２０３３が、検出画像２０２１、および検出画像２０２１が撮影された位置情報を用いて、複数の検出画像２０２１に撮影された路面の損傷が、同一箇所かどうかを判定する。これにより、大量の撮影画像１６１を用いて同一箇所の損傷がどのように推移するのかを確認することができる。
【０１００】
また、位置判定部２０３３が、車両の走行経路に関する情報を用いて、複数の検出画像２０２１に撮影された路面の損傷が、同一箇所かどうかを判定する。これにより、車両の進行方向を考慮して、撮影された時点に対する損傷の位置を正確に把握することができる。
【０１０１】
また、識別部１７３が、検出画像２０２１において検出された損傷が、道路領域内に位置するかどうかを判定する。このため、歩道や周囲の設備の損傷をノイズとして除外することができる。
【０１０２】
また、情報処理サーバ２０が、検出画像２０２１に対して、学習済みモデルを用いた識別を行うことで、路面の損傷の有無の識別、および路面の損傷が、道路領域内に位置するかどうかの判定を再度行う再識別部２０３２をさらに備えている。このため、損傷の識別をより高精度に行うことができる。
【０１０３】
また、再識別部２０３２は、識別部１７３と異なる識別基準に従って、路面の損傷の有無を再度識別する。このため、例えば再識別部２０３２による識別基準を識別部１７３による識別基準よりも高くすることで、端末装置１０での一次的な識別では損傷がありそうな撮影画像１６１を拾い上げ、情報処理サーバ２０での二次的な識別ではノイズを除外するというように、多様な識別を行うことができる。
【０１０４】
（変形例）
上述の実施形態においては、評価部２０３４が時系列に沿って統合する路面の損傷に関する情報が、検出画像２０２１が撮影された位置における損傷の有無に関する情報である例を示したが、この限りではない。例えば、評価部２０３４は、検出画像２０２１を路面の損傷に関する情報として、時系列に沿って統合してもよい。この場合には、時系列に沿って成長する損傷の様子が描写された画像の集合（動画）を得ることができる。
【０１０５】
また、上述の実施形態では、１台の車両に搭載される端末装置１０により撮影された撮影画像１６１を評価する例を示したが、このような態様に限られない。例えば、多数の車両により撮影された撮影画像１６１の評価をおこなってもよい。
具体的には、事前に登録された多数のユーザが撮影した撮影画像１６１に対して、それぞれの端末装置１０において損傷の有無の識別を行う。そして、複数の撮影画像１６１のうち、損傷が検出された検出画像２０２１が、それぞれの端末装置１０から情報処理サーバ２０に送信され、情報処理サーバ２０において、前述したそれぞれの評価処理が行われてもよい。このような構成を採用すれば、端末装置１０として、汎用の携帯端末やドライブレコーダのような兼用の装置を採用することにより、様々な走行経路における膨大な数の撮影地点において撮影された、大量の検出画像２０２１を容易に取得することができる。これにより、算出された路面の損傷の存在確率の精度を確保することができる。
【０１０６】
以上、本開示のいくつかの実施形態を説明したが、これら実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【０１０７】
＜付記＞
実施形態で説明した事項を、以下に付記する。
【０１０８】
（付記１）
端末装置１０、および情報処理サーバ２０を備える識別装置１であって、
端末装置１０は、
車両に搭載され、路面の画像を撮影する撮影部１５０と、
撮影部１５０が撮影した画像に対して、学習済みモデルを用いた識別を行うことで、路面の損傷の有無を識別する識別部１７３と、
画像のうち、識別部１７３が損傷を検出した検出画像２０２１を、情報処理サーバ２０に送信する送信部１７２と、を備え、
情報処理サーバ２０は、
送信部１７２から送信された複数の検出画像２０２１に撮影された路面の損傷が、同一箇所であるかどうかを判定する位置判定部２０３３と、
位置判定部２０３３により同一箇所と判定された路面の損傷に関する情報を、時系列に沿って統合して、路面の損傷の有無を評価する評価部２０３４と、を備える識別装置１。
【０１０９】
（付記２）
評価部２０３４は、時系列に沿って、路面の損傷に関する情報を統合することで、路面の損傷の存在確率を算出する、（付記１）に記載の識別装置１。
【０１１０】
（付記３）
情報処理サーバ２０は、
車両が走行する外部環境に関する情報を取得し、
評価部２０３４は、
外部環境に関する情報を用いて、存在確率への重み付けを行う、（付記２）に記載の識別装置１。
【０１１１】
（付記４）
識別部１７３は、
撮影した位置に関する情報を検出画像２０２１に関連付け、
路面の損傷に関する情報は、検出画像２０２１が撮影された位置における損傷の有無に関する情報、および検出画像２０２１のうちの少なくとも一方を含む、（付記１）から（付記３）のいずれかに記載の識別装置１。
【０１１２】
（付記５）
識別部１７３は、
撮影した位置に関する情報を検出画像２０２１に関連付け、
位置判定部２０３３は、
検出画像２０２１、および検出画像２０２１が撮影された位置情報を用いて、複数の検出画像２０２１に撮影された路面の損傷が、同一箇所かどうかを判定する、（付記１）から（付記４）のいずれかに記載の識別装置１。
【０１１３】
（付記６）
情報処理サーバ２０は、
車両の走行経路に関する情報を取得し、
位置判定部２０３３は、
車両の走行経路に関する情報を用いて、複数の検出画像２０２１に撮影された路面の損傷が、同一箇所かどうかを判定する、（付記１）から（付記５）のいずれかに記載の識別装置１。
【０１１４】
（付記７）
識別部１７３は、
検出画像２０２１において検出された損傷が、道路領域内に位置するかどうかを判定する、（付記１）から（付記６）のいずれかに記載の識別装置１。
【０１１５】
（付記８）
情報処理サーバ２０は、
送信部１７２から送信された複数の検出画像２０２１に対して、学習済みモデルを用いた識別を行うことで、路面の損傷の有無の識別、および路面の損傷が、道路領域内に位置するかどうかの判定を再度行う再識別部２０３２をさらに備えている、（付記１）から（付記７）のいずれかに記載の識別装置１。
【０１１６】
（付記９）
再識別部２０３２は、識別部１７３と異なる識別基準に従って、路面の損傷の有無を再度識別する、（付記８）に記載の識別装置１。
【０１１７】
（付記１０）
情報処理サーバ２０は、
車両の走行経路に関する情報を取得し、
評価部２０３４は、路面の損傷が撮影された座標位置毎に、任意の期間における路面の損傷の有無に関する情報を統合する、（付記１）から（付記９）のいずれかに記載の識別装置１。
【０１１８】
（付記１１）
プロセッサを備えた識別システムに実行させる識別プログラムであって、
プロセッサに、
車両に搭載された撮影部１５０が、路面の画像を撮影するステップ（ステップＳ１１０）と、
撮影部１５０が撮影した画像に対して、学習済みモデルを用いた識別を行うことで、路面の損傷の有無を識別するステップ（ステップＳ１１１）と、
画像のうち、識別部１７３が損傷を検出した検出画像２０２１を、情報処理サーバ２０に送信するステップ（ステップＳ１１６）と、
送信部１７２から送信された複数の検出画像２０２１に撮影された路面の損傷が、同一箇所であるかどうかを判定するステップ（ステップＳ１２２）と、
同一箇所と判定された路面の損傷に関する情報を、時系列に沿って統合して、路面の損傷の有無を評価するステップ（ステップＳ１２３）と、を実行させるプログラム。
【０１１９】
（付記１２）
プロセッサを備えた識別装置１が実行する方法であって、
プロセッサが、
車両に搭載された撮影部１５０が、路面の画像を撮影するステップ（ステップＳ１１０）と、
撮影部１５０が撮影した画像に対して、学習済みモデルを用いた識別を行うことで、路面の損傷の有無を識別するステップ（ステップＳ１１１）と、
画像のうち、識別部１７３が損傷を検出した検出画像２０２１を、情報処理サーバ２０に送信するステップ（ステップＳ１１６）と、
送信部１７２から送信された複数の検出画像２０２１に撮影された路面の損傷が、同一箇所であるかどうかを判定するステップ（ステップＳ１２２）と、
位置判定部２０３３により同一箇所と判定された路面の損傷に関する情報を、時系列に沿って統合して、路面の損傷の有無を評価するステップ（ステップＳ１２３）と、を実行する方法。
【符号の説明】
【０１２０】
１…識別装置
１０…端末装置
１５０…撮影部
１７０…制御部
１７１…入力操作受付部
１７２…送受信部
１７３…識別部
１７４…表示処理部
２０…情報処理端末
２０３…制御部
２０３１…送受信部
２０３２…再識別部
２０３３…位置判定部
２０３４…評価部
【要約】      （修正有）【課題】路面の損傷の有無の検出を精度よく行うことができる識別装置、識別方法および識別プログラムを提供する。【解決手段】端末装置１０及び情報処理サーバ２０を備える識別装置において、端末装置は、車両に搭載され、路面の画像を撮影する撮影部と、撮影部が撮影した画像に対して、学習済みモデルを用いた識別を行うことで、路面の損傷の有無を識別する識別部と、画像のうち、識別部が損傷を検出した検出画像を、情報処理サーバに送信する送信部と、を備える。情報処理サーバ２０は、送信部から送信された複数の検出画像に撮影された路面の損傷が、同一箇所であるかどうかを判定する位置判定部と、損傷判定部により同一箇所と判定された路面の損傷に関する情報を、時系列に沿って統合して、路面の損傷の有無を評価する評価部と、を備える。【選択図】図１【図１】
0006955295.tif 000002
【図２】
0006955295.tif 000003
【図３】
0006955295.tif 000004
【図４】
0006955295.tif 000005
【図５】
0006955295.tif 000006
【図６】
0006955295.tif 000007
【図７】
0006955295.tif 000008
【図８】
0006955295.tif 000009
【図９】
0006955295.tif 000010
【図１０】
0006955295.tif 000011